(57)【特許請求の範囲】
【請求項１】
被写体像を光電変換することによって画像データを得る撮像素子と、
拡大表示領域の設定および拡大表示の実行を指示する拡大表示指示手段と、
電子ズームの実行を指示する電子ズーム指示手段と、
電子ズーム表示画像と前記拡大表示領域を表示する画像表示手段と、
電子ズーム中に、前記拡大表示領域が電子ズーム表示範囲から外れる場合には、前記撮像素子により得られる撮像画面全体を縮小した小画面と前記電子ズーム表示画像を、合成する画像合成手段とを有し、
前記画像表示手段は、前記小画面上に前記拡大表示領域を重ねて表示することを特徴とする撮像装置。
【請求項２】
前記小画面を生成するときに、前記撮像素子の駆動方法が部分読み出し方式である場合には、部分読み出し駆動に切り替わる前に保存しておいた前記撮像画面全体の読み出しデータから前記小画面を生成することを特徴とする請求項１に記載の撮像装置。
【発明の詳細な説明】
【技術分野】
【０００１】
本発明は、電子ズーム中に拡大表示を行うことが可能な撮像装置に関するものである。
【背景技術】
【０００２】
撮像装置の一例である電子カメラは、撮像レンズを透過した光束を撮像素子で電気信号に変換し、更に撮像回路でデジタル画像信号に変換した後に、ＪＰＥＧなどの圧縮技術により圧縮してメモリに記憶する。この様な電子カメラにおいて、レンズによる光学的なズーム機能の代わりとして、電子ズーム機能を有する電子カメラが存在する。電子ズーム機能は、画面の中心を無段階にズーム動作により拡大して表示を行うことができ、ズーム状態で撮影動作を行うと、ＴＦＴなどの表示機器に表示されている領域が記録される。電子カメラに装着しているレンズが単焦点レンズ、または、ズーム機能の付いているレンズであってもズーム倍率の低いレンズの場合には、この電子ズーム機能により高倍率なズームレンズを装着した時と同様なズーム効果を期待出来る。
【０００３】
また、画面内の任意の場所を拡大表示する、拡大表示機能を有する電子カメラも存在する。拡大表示機能では、電子ズームとは目的が異なり、画面内の任意の場所を指定して拡大することができ、ピントの確認などをすることが出来る。
【０００４】
しかし、拡大表示領域が画面の中心でない場合には、電子ズーム倍率を上げていくにつれて拡大表示領域が次第に画面外にはみ出てしまう。そのため、拡大表示領域の全体を確認出来ない状態になる、または、拡大表示領域の全体が画面外に出てしまい、拡大表示領域の画像を確認できない。
【０００５】
一方、例えば、特許文献１では電子ズーム中に、電子ズーム範囲外の情報を確認することが出来るように縮小画像を合成して表示する技術が開示されている。
【先行技術文献】
【特許文献】
【０００６】
【特許文献１】特開平６−１６５０１２号公報
【発明の概要】
【発明が解決しようとする課題】
【０００７】
しかしながら、上述の特許文献１に開示された従来技術では、画像全体の縮小表示を合成して表示することは記述されているが、拡大表示領域が何処になるかを示す技術については記述されていない。
【０００８】
（発明の目的）
本発明の目的は、電子ズーム中に拡大表示を行うことが可能な撮像装置において、電子ズーム中でも拡大表示領域を示すことが可能な撮像装置を提供することである。
【課題を解決するための手段】
【０００９】
上記目的を達成するために、本発明の撮像装置は、被写体像を光電変換することによって画像データを得る撮像素子と、拡大表示領域の設定および拡大表示の実行を指示する拡大表示指示手段と、電子ズームの実行を指示する電子ズーム指示手段と、電子ズーム表示画像と前記拡大表示領域を表示する画像表示手段と、電子ズーム中に、前記拡大表示領域が電子ズーム表示範囲から外れる場合には、前記撮像素子により得られる撮像画面全体を縮小した小画面と前記電子ズーム表示画像を、合成する画像合成手段とを有し、前記画像表示手段が、前記小画面上に前記拡大表示領域を重ねて表示することを特徴とするものである。
【発明の効果】
【００１０】
本発明によれば、電子ズーム中に拡大表示を行うことが可能な撮像装置において、電子ズーム中でも拡大表示領域を示すことができる。
【図面の簡単な説明】
【００１１】
【図１】本発明の一実施例である撮像装置の構成を示すブロック図である。
【図２】実施例における電子ズーム中の拡大表示に係る状態を示す図である。
【図３】実施例の小画面生成を示すフローチャートである。
【図４】実施例の撮像素子の読み出し方法に応じた画像データ保存を示すフローチャートである。
【図５】電子ズーム画像表示を示す図である。
【発明を実施するための形態】
【００１２】
本発明を実施するための形態は、以下の実施例に記載される通りである。
【実施例】
【００１３】
図１は、本発明の一実施例である、画像処理機能を有する撮像装置の構成を示すブロック図である。本実施例においては、撮像装置としてレンズ交換可能な一眼レフタイプのデジタルスチルカメラを例に挙げて説明する。
【００１４】
図１に示すように、本実施例の撮像装置は、主にカメラ本体１００と、交換レンズタイプのレンズユニット３００とを備えて構成されている。
【００１５】
レンズユニット３００において、３１０は複数のレンズから成る撮像レンズ、３１２は絞り、３０６はレンズユニット３００をカメラ本体１００と機械的に結合するレンズマウントである。レンズマウント３０６内には、レンズユニット３００をカメラ本体１００と電気的に接続する各種機能が含まれている。３２０は、レンズマウント３０６において、レンズユニット３００をカメラ本体１００と接続するためのインターフェース、３２２はレンズユニット３００をカメラ本体１００と電気的に接続するコネクタである。コネクタ３２２は、カメラ本体１００とレンズユニット３００との間で制御信号、状態信号、データ信号などを伝え合うと共に、各種電圧の電流を供給される機能も備えている。また、コネクタ３２２は電気通信のみならず、光通信、音声通信などを用いて通信を行う構成としてもよい。３４０は、測光制御部４６からの測光情報に基づいて、後述するカメラ本体１００のシャッタ１２を制御するシャッタ制御部４０と連携しながら、絞り３１２を制御する絞り制御部である。３４２は撮像レンズ３１０のフォーカシングを制御するフォーカス制御部、３４４は撮像レンズ３１０のズーミングを制御するズーム制御部である。
【００１６】
３５０はレンズユニット３００全体を制御するレンズシステム制御回路である。レンズシステム制御回路３５０は、動作用の定数、変数、プログラムなどを記憶するメモリを備えている。更に、レンズユニット３００固有の番号などの識別情報、管理情報、開放絞り値や最小絞り値、焦点距離などの機能情報、現在や過去の各設定値などを保持する不揮発性メモリも備えている。
【００１７】
次に、カメラ本体１００の構成について説明する。
１０６はカメラ本体１００とレンズユニット３００を機械的に結合するレンズマウント、１３０はメインミラー、１３２はミラーで、撮像レンズ３１０に入射した光線を一眼レフ方式によって光学ファインダ１０４に導く。なお、メインミラー１３０はクイックリターンミラーの構成としても、ハーフミラーの構成としても、どちらでも構わない。１２はフォーカルプレーン式のシャッタ、１４はＣＣＤ、ＣＭＯＳセンサ等からなり、被写体像を光電変換する撮像素子である。撮像素子１４の前方には、不図示の光学ローパスフィルタ等の光学素子が配置されている。
【００１８】
撮像レンズ３１０に入射した光線は、一眼レフ方式によって光量制限手段である絞り３１２、レンズマウント３０６及び１０６、メインミラー１３０、シャッタ１２を介して導かれ、光学像として撮像素子１４上に結像される。
【００１９】
１６は、撮像素子１４から出力されるアナログ信号（出力信号）をデジタル信号に変換するＡ／Ｄ変換器である。１８は、撮像素子１４、Ａ／Ｄ変換器１６、Ｄ／Ａ変換器２６にそれぞれクロック信号や制御信号を供給するタイミング発生回路であり、メモリ制御回路２２及びシステム制御回路５０により制御される。
【００２０】
２０は画像処理回路であり、Ａ／Ｄ変換器１６からのデータ或いはメモリ制御回路２２からのデータに対して所定の画素補間処理や色変換処理を行う。また、画像処理回路２０は、必要に応じて、Ａ／Ｄ変換器１６から出力される画像データを用いて所定の演算処理を行う。得られた演算結果に基づいてシステム制御回路５０がシャッタ制御部４０、焦点検出部４２を制御するための、コントラスト方式のオートフォーカス（ＡＦ）処理、自動露出（ＡＥ）処理、フラッシュプリ発光（ＥＦ）処理を行うことができる。さらに、画像処理回路２０は、Ａ／Ｄ変換器１６から出力される画像データを用いて所定の演算処理を行い、得られた演算結果に基づいてＴＴＬ方式のオートホワイトバランス（ＡＷＢ）処理も行っている。
【００２１】
２２はメモリ制御回路であり、Ａ／Ｄ変換器１６、タイミング発生回路１８、画像処理回路２０、画像表示メモリ２４、Ｄ／Ａ変換器２６、メモリ３０、圧縮伸長回路３２を制御する。Ａ／Ｄ変換器１６から出力される画像データは、画像処理回路２０、メモリ制御回路２２を介して、或いはメモリ制御回路２２のみを介して、画像表示メモリ２４或いはメモリ３０に書き込まれる。
【００２２】
２４は画像表示メモリ、２６はＤ／Ａ変換器、２８はＴＦＴ方式のＬＣＤ等から成る画像表示部であり、画像表示メモリ２４に書き込まれた表示用の画像データはＤ／Ａ変換器２６を介して画像表示部２８により表示される。画像表示部２８を用いて、撮像した画像データを逐次表示することで、電子ビューファインダ（ＥＶＦ）機能を実現することができる。また、画像表示部２８は、システム制御回路５０の指示により任意に表示をＯＮ／ＯＦＦすることが可能であり、表示をＯＦＦにした場合にはカメラ本体１００の電力消費を大幅に低減することができる。
【００２３】
３０は撮影した静止画像あるいは動画像を格納するためのメモリであり、所定枚数の静止画像あるいは所定量の動画像を格納するのに十分な記憶容量を備えている。これにより、複数枚の静止画像を連続して撮影する連写撮影やパノラマ撮影の場合にも、高速かつ大量の画像書き込みをメモリ３０に対して行うことが可能となる。また、動画撮影時には、所定レートで連続的に書き込まれる画像のフレームバッファとして使用される。さらに、メモリ３０はシステム制御回路５０の作業領域としても使用することが可能である。
【００２４】
３１は複数の画像を合成して１枚の合成写真を作成する画像合成回路である。メモリ３０に書き込まれている画像データを複数同時に読み込み、回路内で合成処理を実施し、作成された合成画像データはメモリ３０、または画像表示メモリ２４に書き込まれる。画像合成回路３１としては、Ａ／Ｄ変換器１６によって変換されてメモリ制御回路２２によって書き込まれた画像データや、画像処理回路２０によって画像処理された画像データを合成する回路となる。
【００２５】
３２は公知の圧縮方法を用いて画像データを圧縮伸長する圧縮伸長回路である。圧縮伸長回路３２は、メモリ３０に格納された画像を読み込んで圧縮処理或いは伸長処理を行い、処理を終えたデータを再びメモリ３０に書き込む。また、動画像データを所定のフォーマットに圧縮符号化し、又は所定の圧縮符号化データから動画像信号を伸長する機能も有する。
【００２６】
４０はシャッタ制御部であり、測光制御部４６からの測光情報に基づいて絞り３１２を制御する絞り制御部３４０と連携しながらシャッタ１２を制御する。４２はＡＦ（オートフォーカス）処理を行うための焦点検出部である。レンズユニット３００内の撮像レンズ３１０に入射した光線を絞り３１２、レンズマウント３０６，１０６、メインミラー１３０及び焦点検出用サブミラー（不図示）を介して一眼レフ方式で入射させることにより、光学像として結像された画像の合焦状態を測定する。
【００２７】
４６はＡＥ（自動露出）処理を行うための測光制御部である。レンズユニット３００内の撮像レンズ３１０に入射した光線を、絞り３１２、レンズマウント３０６，１０６、メインミラー１３０及び測光用サブミラー（図示せず）を介して一眼レフ方式で入射させることにより、光学像として結像された画像の露出状態を測定する。
【００２８】
また、焦点検出部４２による測定結果と、Ａ／Ｄ変換器１６からの画像データを画像処理回路２０によって演算した演算結果とを用いて、ＡＦ制御を行うようにしてもよい。さらに、測光制御部４６による測定結果と、Ａ／Ｄ変換器１６からの画像データを画像処理回路２０によって演算した演算結果とを用いて露出制御を行うようにしてもよい。
【００２９】
５０はカメラ本体１００全体を制御するシステム制御回路であり、周知のＣＰＵなどを内蔵する。５２はシステム制御回路５０の動作用の定数、変数、プログラム等を記憶するメモリである。
【００３０】
５４はシステム制御回路５０でのプログラムの実行に応じて、文字、画像、音声などを用いて動作状態やメッセージなどを外部に通知するための報知部である。報知部５４としては、例えばＬＣＤやＬＥＤなどによる視覚的な表示を行う表示部や音声による通知を行う発音素子などが用いられるが、報知部５４はこれらのうち１つ以上の組み合わせにより構成される。特に、表示部の場合には、カメラ本体１００の操作部７０の近辺の、視認しやすい、単数あるいは複数箇所に設置される。また、報知部５４は、その一部の機能が光学ファインダ１０４内に設置されている。
【００３１】
報知部５４の表示内容の内、ＬＣＤなどの画像表示部２８に表示するものとしては以下のものがある。単写／連写撮影表示、セルフタイマー表示、撮影モードに関する表示などがある。
【００３２】
また、報知部５４の表示内容のうち、光学ファインダ１０４内に表示するものとしては、例えば、合焦表示などがある。
【００３３】
５６は後述するプログラムなどが格納された電気的に消去・記録可能な不揮発性メモリであり、例えばＥＥＰＲＯＭ等が用いられる。
【００３４】
６０，６２，６４，７０は、システム制御回路５０の各種の動作指示を入力するための操作手段であり、スイッチやダイアル、タッチパネル、視線検知によるポインティング、音声認識装置等の単数或いは複数の組み合わせで構成される。
【００３５】
ここで、これらの操作手段の具体的な説明を行う。
６０はモードダイアルスイッチで、自動撮影モード、プログラム撮影モード、シャッタ速度優先撮影モード、絞り優先撮影モード、マニュアル撮影モード、焦点深度優先（デプス）撮影モード等の各機能撮影モードを切り替え設定することができる。他に、ポートレート撮影モード、風景撮影モード、接写撮影モード、スポーツ撮影モード、夜景撮影モード、パノラマ撮影モードなどの各機能撮影モードを切り替え設定することもできる。
【００３６】
６２はシャッタスイッチＳＷ１で、不図示のシャッタボタンの操作途中（例えば半押し）でＯＮとなり、ＡＦ処理、ＡＥ処理、ＡＷＢ処理、ＥＦ処理等の動作開始を指示する。
【００３７】
６４はシャッタスイッチＳＷ２で、不図示のシャッタボタンの操作完了（例えば全押し）でＯＮとなり、露光処理、現像処理、及び記録処理からなる一連の処理の動作開始を指示する。まず、露光処理では、撮像素子１４から読み出した信号をＡ／Ｄ変換器１６、メモリ制御回路２２を介してメモリ３０に書き込み、更に、画像処理回路２０やメモリ制御回路２２での演算を用いた現像処理が行われる。更に、記録処理では、メモリ３０から画像データを読み出し、圧縮伸長回路３２で圧縮を行い、記録媒体２００に書き込む。
【００３８】
７０は各種ボタンやタッチパネルなどから成る操作部である。一例として、ライブビュー開始／停止ボタン、動画記録開始／停止ボタン、電子ズーム＋（プラス）ボタン、電子ズーム−（マイナス）ボタン、ライブビュー拡大＋（プラス）ボタン、ライブビュー拡大−（マイナス）ボタンなどを含む。更に、本発明に係る拡大表示指示ボタン（拡大表示指示手段）、電子ズーム指示ボタン（電子ズーム指示手段）を含む。
【００３９】
また、画像表示部２８のＯＮ／ＯＦＦを設定する画像表示ＯＮ／ＯＦＦスイッチ、撮影直後に撮影した画像データを自動再生するクイックレビュー機能を設定するクイックレビューＯＮ／ＯＦＦスイッチがある。また、ＪＰＥＧ圧縮の圧縮率を選択するため、あるいは撮像素子の信号をそのままデジタル化して記録媒体に記録するＲＡＷモードを選択するためのスイッチである圧縮モードスイッチがある。また、ワンショットＡＦモードとサーボＡＦモードとを設定可能なＡＦモード設定スイッチなどがある。ワンショットＡＦモードでは、シャッタスイッチＳＷ１（６２）を押した際にオートフォーカス動作を開始し、一旦合焦した場合、その合焦状態を保ち続ける。サーボＡＦモードでは、シャッタスイッチＳＷ１（６２）を押している間、連続してオートフォーカス動作を続ける。
【００４０】
８０は電源制御部で、電池検出回路、ＤＣ−ＤＣコンバータ、通電するブロックを切り替えるスイッチ回路等により構成されている。電源制御部８０は、電池の装着の有無、電池の種類、電池残量の検出を行い、検出結果及びシステム制御回路５０の指示に基づいてＤＣ−ＤＣコンバータを制御し、必要な電圧を必要な期間、記録媒体を含む各部へ供給する。
【００４１】
８２，８４はコネクタ、８６はアルカリ電池やリチウム電池等の一次電池、ＮｉＣｄ電池やＮｉＭＨ電池、Ｌｉ‐ｉｏｎ電池、Ｌｉポリマー電池等の二次電池、ＡＣアダプター等からなる電源部である。
【００４２】
９０はメモリカードやハードディスク等の記録媒体やＰＣ（パーソナルコンピュータ）とのインターフェース、９２はメモリカードやハードディスク等の記録媒体やＰＣと接続を行うコネクタである。９８はコネクタ９２に記録媒体２００が装着されているか否かを検知する記録媒体着脱検知回路である。
【００４３】
１０４は光学ファインダであり、撮像レンズ３１０に入射した光線を、一眼レフ方式によって、絞り３１２、レンズマウント３０６，１０６、メインミラー１３０、ミラー１３２を介して導き、光学像として結像させて表示することができる。これにより、画像表示部２８による電子ファインダ機能を使用すること無しに、光学ファインダのみを用いて撮影を行うことが可能である。また、光学ファインダ１０４内には、報知部５４の一部の機能、例えば、合焦状態、手振れ警告、フラッシュ充電、シャッタ速度、絞り値、露出補正などが表示される。
【００４４】
１２０はレンズマウント１０６内でカメラ本体１００をレンズユニット３００と接続するためのインターフェースである。
【００４５】
１２２はカメラ本体１００をレンズユニット３００と電気的に接続するコネクタである。また、レンズマウント１０６及びコネクタ１２２にレンズユニット３００が装着されているか否かは、不図示のレンズ着脱検知部により検知される。コネクタ１２２はカメラ本体１００とレンズユニット３００との間で制御信号、状態信号、データ信号などを伝え合うと共に、各種電圧の電流を供給する機能も備えている。
【００４６】
また、コネクタ１２２は電気通信だけでなく、光通信、音声通信により通信を行う構成としてもよい。
【００４７】
２００はメモリカードやハードディスク等の記録媒体である。この記録媒体２００は、半導体メモリや磁気ディスク等から構成される記録部２０２、カメラ本体１００とのインターフェース２０４、カメラ本体１００と接続を行うコネクタ２０６を備えている。
【００４８】
最初に、上記構成を有する撮像装置において、ライブビュー表示を画像表示部２８に表示した状態について説明する。図２（Ａ）は画像表示部２８にライブビュー表示がされた状態を表した図である。撮像素子１４によって撮像された画像が画像処理回路２０によって画像処理されて、画像表示メモリ２４に蓄積される。画像表示メモリ２４に蓄積された画像はＤ／Ａ変換器２６によって変換されて画像表示部２８に表示される。画像表示部２８には、画像表示の他に拡大表示指示ボタンの操作により拡大表示を指示した時に拡大される領域を示す矩形の拡大表示領域枠４００が表示される。この拡大表示領域を示す拡大表示領域枠４００は、操作部７０に備わる十字キーや回転ダイアルスイッチなどの操作部材により、上下左右方向に移動させて拡大表示領域を設定することが可能である。これにより、画面内の任意の位置を拡大表示させることが可能である。
【００４９】
図２（Ａ）の状態から、操作部７０に備わる拡大表示指示ボタン（拡大表示指示手段）により拡大表示を開始させると、図２（Ｃ）の表示状態になる。図２（Ａ）に表示されている拡大表示領域枠４００内の画像が画像表示部２８に表示された状態である。撮像素子１４の駆動方法は、図２（Ａ）と図２（Ｃ）とでは異なる場合がある。図２（Ａ）では撮像素子１４で得られる画像全体を表示出来るように、撮像素子１４全体から画像データを読み出す駆動方法を採用する。ただし、全画素を読み出したのでは、データ量が多すぎて読み出しにも時間がかかってしまい、滑らかな動きを表現できるライブビューが実現できないので、データを間引いて読み出す場合や、撮像素子１４内でデータを加算平均するなどしてデータ量を削減するなどして読み出す場合もある。図２（Ｃ）では、拡大表示でのピント確認などの用途のため、高精細な表示が必要となる。このために、撮像素子１４の駆動方法は、撮像素子１４の一部だけを読み出し、読み出した画像データは高精細でありながら、読み出し時間を必要最低限となるように部分読み出しを行う。
【００５０】
次に、図２（Ａ）の状態から、電子ズーム機能により拡大する場合について説明する。図２（Ａ）の状態から、操作部７０に備わる電子ズーム指示ボタン（電子ズーム指示手段）によりズーム指示をすると、レンズの光軸中心でズーム表示を開始する。この時の電子ズーム表示は、撮像素子１４から読み出された画像データの中心部分のみを用いて、画像処理回路２０により画像表示メモリ２４に蓄積する画像サイズへ拡大処理または縮小処理することで電子ズーム表示を実現している。この処理を図示したものが図５である。５０１は撮像素子１４から読み出された電子ズーム表示画像である。低倍率で電子ズームする場合は、倍率に合わせた画像処理領域５０３を処理して電子ズーム表示画像５０１を得ることで電子ズーム表示を可能にする。高倍率の場合には、画像処理領域５０３よりも狭く、高倍率に合わせた画像処理領域５０４を処理して電子ズーム表示画像５０２を得ることで電子ズーム表示を可能にする。
【００５１】
電子ズーム倍率を上げていき、拡大表示領域が電子ズーム表示範囲からはみ出す場合の処理について説明する。電子ズーム倍率を上げていくと、図５の５０３から５０４に画像処理領域が狭くなっていく。これにより、拡大表示領域枠４００で示される拡大表示領域が電子ズームの画像処理領域に対して外にはみ出してしまう場合がある。この場合、画像表示部２８では拡大表示領域を確認することが出来なくなってしまうので、撮像画面全体に対する拡大表示領域を確認するための小画面４１１を作成して、画像表示部２８に表示することで拡大表示領域を確認出来るようにする。図２（Ｂ）が小画面４１１により拡大表示領域枠４１２を画像表示部２８に表示した状態を表している。
【００５２】
図２（Ｂ）の小画面４１１の作成に関わるフローチャートを図３に示す。Ｓ１０１において、電子ズーム表示画像４１０を作成する。この画像は図５を用いて上述したように、撮像素子１４からの画像データの中央の一部分を画像処理回路２０によって画像処理することによって、画像表示部２８に表示する画像を生成する処理である。ここで生成された画像データは一旦メモリ３０に保持される。次にＳ１０２において、拡大表示領域枠４００で示される拡大表示領域が電子ズームによる電子ズーム表示範囲から外れるかを判定する。電子ズーム表示範囲外にあると判断された場合には、Ｓ１０３に状態は移る。Ｓ１０３では撮像画面全体に対する拡大表示領域を示すために撮像画面全体を縮小した小画面４１１を作成する状態である。この小画面４１１は撮像素子１４から出力される画像データ全体を表示する必要があるため、図５における全領域５００が画像処理対象となる領域となる。画像処理回路２０によって処理された小画面用画像データは一旦メモリ３０に保持される。次に、Ｓ１０４において、小画面用画像に拡大される領域を示す拡大表示領域枠４１２を描画する。この小画面４１１と、小画面４１１の上での拡大表示領域枠４１２によって、電子ズームによる電子ズーム表示範囲外に拡大される領域があっても、拡大表示領域を確認することが可能となる。次に、Ｓ１０５によって、生成した電子ズーム表示画像４１０と小画面４１１を合成する状態である。メモリ３０にそれぞれ保持されている電子ズーム表示画像４１０と小画面４１１を読み出し、画像合成回路３１によって電子ズーム表示画像と小画面４１１を合成した画像を生成し、画像表示メモリ２４に保持する。これにより図２（Ｂ）に示す画像の状態になったので、Ｄ／Ａ変換器２６によって変換されて画像表示部２８によって表示されることになる。
【００５３】
Ｓ１０２にて拡大表示領域が電子ズーム表示範囲内であると判断された場合には、Ｓ１０６に状態は移る。Ｓ１０６では電子ズーム表示画像に拡大表示領域枠４００を描画する。
【００５４】
次に、電子ズーム倍率が非常に高くなり、撮像素子１４の駆動方法が切り替わる場合について説明する。電子ズーム倍率が高くなるにつれ、電子ズーム表示画像を生成する為の画像処理領域が次第に狭くなってくる。画像処理領域が狭くなってくると、その後に画像表示メモリ２４に蓄積する画像サイズへの拡大処理での拡大倍率が大きくなり、その結果、表示品質が低下してしまう。このような状況を回避するために、撮像素子１４の駆動方法を切り替えて、撮像素子１４の一部だけを読み出し、読み出した画像データは高精細でありながら、読み出し時間を必要最低限となるように部分読み出しを行う。この場合、図５の全領域５００の画像を取得出来ないため、このままでは小画面４１１を作成出来なくなってしまう。これを解決するために、撮像素子１４の駆動状態の切り替わりで小画面４１１を生成する画像データの更新を停止する。
【００５５】
図４を用いて、小画面４１１を生成する画像データについて説明する。まず、Ｓ２０１で撮像素子１４の駆動方法の判定を行う。駆動方法が部分読み出し方法ではない場合、Ｓ２０２に遷移する。Ｓ２０２では、撮像素子１４から読み出された全画素画像データをメモリ３０に保存する処理である。このメモリ３０に保持された画像データを用いて、図３のＳ１０３における小画面４１１を生成する。駆動方法の判定は、撮像素子１４から画像データを読み出す度に行う。または、駆動方法を切り替える時に判定しておいてもよい。メモリ３０への画像データの読み出しは、撮像素子１４からの画像データ読み出し毎に行われるので、小画面４１１の画像も更新されることになる。
【００５６】
Ｓ２０１において、撮像素子１４の駆動方法が部分読み出しであると判定された場合には、撮像素子１４から読み出された画像データをメモリ３０には保持しない。つまり、全画素読み出しでの最後の画像データ（部分読み出しに切り替わる前に保存しておいた撮像画面全体の読み出しデータ）がメモリ３０に残っており、部分読み出しでの画像データで置き換えることが無いようにする。これにより、小画面４１１が必要となったと判断された時でも、全画素読み出しでの最後の画像データがメモリ３０に残っており、小画面４１１を作成することが可能となる。
【００５７】
以上により、電子ズーム中に拡大表示を行うことが可能な撮像装置において、電子ズーム中でも拡大表示範囲を示すことが可能となる。
【００５８】
以上、本発明の好ましい実施例について説明したが、本発明はこの実施例に限定されず、その要旨の範囲内で種々の変形及び変更が可能である。
【符号の説明】
【００５９】
１４  撮像素子
２０  画像処理回路
２８  画像表示部
３１  画像合成回路
７０  操作部
３４４  ズーム制御部
４００  拡大表示領域枠
４１０  電子ズーム表示画像
４１１  小画面
４１２  小画面上の拡大表示領域枠
【図１】
0005882794.tif 000002
【図２】
0005882794.tif 000003
【図３】
0005882794.tif 000004
【図４】
0005882794.tif 000005
【図５】
0005882794.tif 000006